(57)【要約】【課題】維持電極と走査電極をアドレス電極と同一基板面に形成したことにより、プラズマディスプレイパネルの放電効率、生産性及び良品率を向上させることのできるプラズマディスプレイパネルを提供する。【解決手段】本発明のプラズマディスプレイパネルは、前面基板１０と、前面基板１０と対向する背面基板２０と、前面基板１０及び背面基板２０の間の空間を複数に区画して配置された放電セル１８と、前面基板１０の第１方向に沿って長く形成されたアドレス電極１５と、前面基板１０の第１方向と交差する第２方向に沿って長く形成され、アドレス電極１５と電気的に分離された維持電極３２及び走査電極３４とを含み、維持電極３２の端子及び走査電極３４の端子がアドレス電極１５の端子と共に前面基板１０上に形成されていることを特徴とする。【選択図】図２
2007157720.tif 000002
【特許請求の範囲】
【請求項１】
第１基板と、
前記第１基板と対向する第２基板と、
前記第１基板及び前記第２基板の間の空間を複数に区画して配置された放電セルと、
前記第１基板の第１方向に沿って長く形成され、その終端が端子に連結されたアドレス電極と、
前記第１基板の前記第１方向と交差する第２方向に沿って長く形成され、その終端が端子に連結されて前記アドレス電極と電気的に分離され、各放電セルを間にして互いに対向配置された第１電極及び第２電極と、
前記各放電セル内に形成された赤色、緑色及び青色蛍光体層とを含み、
前記第１電極の端子及び前記第２電極の端子は、前記アドレス電極の端子と共に前記第１基板上に形成されていることを特徴とするプラズマディスプレイパネル。
【請求項２】
前記第２基板は、前記第１基板の少なくとも３辺以上の周縁を開放するように対向配置されていることを特徴とする請求項１に記載のプラズマディスプレイパネル。
【請求項３】
前記アドレス電極の端子は、前記第１基板面における前記第１方向の両側周縁のうちの少なくとも片側周縁に形成されていることを特徴とする請求項１または請求項２に記載のプラズマディスプレイパネル。
【請求項４】
前記第１電極の端子及び前記第２電極の端子は、前記第１基板面の前記第２方向の片側周縁にそれぞれ形成されていることを特徴とする請求項１から請求項３のいずれか１項に記載のプラズマディスプレイパネル。
【請求項５】
前記端子は、Ｃｒ−Ｃｕ−Ｃｒ、Ｃｒ−Ａｌ、Ｃｒ−Ａｌ−Ｃｒ及びＭＩＨＬのうちのいずれか一つからなることを特徴とする請求項１から請求項４のいずれか１項に記載のプラズマディスプレイパネル。
【請求項６】
前記アドレス電極は、前記端子と同一な厚さに形成されていることを特徴とする請求項１から請求項５のいずれか１項に記載のプラズマディスプレイパネル。
【請求項７】
前記アドレス電極は、Ｃｒ−Ｃｕ−Ｃｒ、Ｃｒ−Ａｌ、Ｃｒ−Ａｌ−Ｃｒ及びＭＩＨＬのうちのいずれか一つからなることを特徴とする請求項１から請求項６のいずれか１項に記載のプラズマディスプレイパネル。
【請求項８】
前記アドレス電極は、
前記第１基板面と接触する黒色層と、
前記黒色層上に積層された白色層と
を含むことを特徴とする請求項１から請求項６のいずれか１項に記載のプラズマディスプレイパネル。
【請求項９】
前記アドレス電極は、緑色放電セルと青色放電セルとの間に配置されたアドレス電極の幅が、青色放電セルと赤色放電セルとの間に配置されたアドレス電極の幅及び赤色放電セルと緑色放電セルとの間に配置されたアドレス電極の幅よりも広く形成されていることを特徴とする請求項１から請求項８のいずれか１項に記載のプラズマディスプレイパネル。
【請求項１０】
前記アドレス電極は、
前記第１方向に沿って伸張形成された伸張部と、
前記伸張部から前記第２方向に沿って前記各放電セルに対応して突出形成された突出部と
を含むことを特徴とする請求項１から請求項９のいずれか１項に記載のプラズマディスプレイパネル。
【請求項１１】
前記青色放電セルに対応した前記突出部の幅は、前記赤色放電セル及び前記緑色放電セルに対応した前記突出部の幅よりも広く形成されていることを特徴とする請求項１０に記載のプラズマディスプレイパネル。
【請求項１２】
前記第１電極及び前記第２電極の厚さは、前記端子の厚さよりも厚く形成されていることを特徴とする請求項１から請求項１１のいずれか１項に記載のプラズマディスプレイパネル。
【発明の詳細な説明】
【技術分野】
【０００１】
本発明は、プラズマディスプレイパネルに関し、対向放電型電極構造を適用して放電効率を向上させると共に、対向放電型電極構造からなるパネルの製造時に良品率を向上させるプラズマディスプレイパネルに関する。
【背景技術】
【０００２】
一般に、プラズマディスプレイパネルは、気体放電によって発生したプラズマから放射される真空紫外線が蛍光体を励起させることによって発生する赤色（Ｒ）、緑色（Ｇ）、青色（Ｂ）の可視光線を利用して画像を表示する。
【０００３】
前記プラズマディスプレイパネルは、６０インチ以上の超大型画面をわずか１０ｃｍ以内の厚さで実現することができ、陰極線管（ＣＲＴ）のような自発光ディスプレイ素子であるので、色再現力及び視野角によるわい曲現象がないという特性がある。
【０００４】
前記プラズマディスプレイパネルは、液晶表示装置（ＬＣＤ）などに比べて製造工程が単純で、生産性及び原価の面でも有利なＴＶ及び産業用平板ディスプレイとして脚光を浴びている。
【０００５】
前記プラズマディスプレイパネルの一例として、交流型３電極面放電型プラズマディスプレイパネルがある。これを例にあげて説明すると、交流型３電極面放電型プラズマディスプレイパネルは、同一面上に位置した維持電極と走査電極とを含む表示電極を備えた基板と、この基板から一定の距離をおいて垂直方向に形成されたアドレス電極を備えた他の基板とが互いに密封して形成され、その間には放電ガスが充填されている。
【０００６】
前記プラズマディスプレイパネルにおいて、放電の有無は、各ラインに連結されて独立して制御されるアドレス電極と走査電極との間の放電によって決定され、画面を表示する維持放電は、同一面上に位置する維持電極と走査電極とによって行われる。
【０００７】
しかし、従来では走査電極とアドレス電極がそれぞれ異なる基板に形成されていたので、二つの電極間の放電距離が長くなり、アドレス放電に必要な消費電力を増加させてしまうという問題点があった。また、アドレス放電によって選択された各放電空間内に可視光を発生させる維持放電は、同一基板面に配置された表示電極（維持電極と走査電極）の間で、対向放電に比べて放電効率が低い面放電の形態によって起こされるため、放電効率が低下してしまうという問題点があった。
【０００８】
プラズマディスプレイパネルがより多くの画像情報を表示することができるように高解像度及び高精細化される傾向により、画素を構成する各ピクセルに対応する電極の数を増加させるためには、隣接する電極の間隔及び電極の幅を減少させなければならない。しかしながら、既存の厚膜形態で形成される電極は、幅が小さくなれば電極が断線する「オープン現象」が発生し、製品の不良率を増加させることになる。
【０００９】
また、アドレス電極及び表示電極が互いに異なる基板面に形成されていることにより、駆動電圧を印加するための各々の端子もそれぞれの基板面に形成しなければならない。それによって、プラズマディスプレイパネルの製造工程の数が増加してしまい、生産性を低下させてしまう問題点があった。
【発明の開示】
【発明が解決しようとする課題】
【００１０】
本発明は、上述した問題を解決するためのものであって、本発明の目的は、対向放電型電極構造を利用して放電効率を向上させると共に、プラズマディスプレイパネルの生産性及び良品率を向上させることのできるプラズマディスプレイパネルを提供することにある。
【課題を解決するための手段】
【００１１】
前記目的を達成するために、本発明のプラズマディスプレイパネルは、第１基板と、前記第１基板と対向する第２基板と、前記第１基板及び前記第２基板の間の空間を複数に区画して配置された放電セルと、前記第１基板の第１方向に沿って長く形成され、その終端が端子に連結されたアドレス電極と、前記第１基板の前記第１方向と交差する第２方向に沿って長く形成され、その終端が端子に連結されて前記アドレス電極と電気的に分離され、各放電セルを間にして互いに対向配置された第１電極及び第２電極と、前記各放電セル内に形成される赤色、緑色及び青色蛍光体層とを含み、前記第１電極の端子及び前記第２電極の端子は、前記アドレス電極の端子と共に前記第１基板上に形成されていることを特徴とする。
【００１２】
第２基板は、第１基板の少なくとも３辺以上の周縁を開放するように対向配置されている。
【００１３】
アドレス電極の端子は、第１基板面における第１方向の両側周縁のうちの少なくとも片側周縁に形成されている。
【００１４】
第１電極の端子及び第２電極の端子は、第１基板面の第２方向の片側周縁にそれぞれ形成されている。
【００１５】
端子は、Ｃｒ−Ｃｕ−Ｃｒ、Ｃｒ−Ａｌ、Ｃｒ−Ａｌ−Ｃｒ及びＭＩＨＬ（ｍｅｔａｌ ｉｎｓｕｌａｔｏｒ ｈｙｂｒｉｄ ｌａｙｅｒ）のうちのいずれか一つからなる。
【００１６】
アドレス電極は、端子と同一な厚さに形成されている。
【００１７】
アドレス電極は、Ｃｒ−Ｃｕ−Ｃｒ、Ｃｒ−Ａｌ、Ｃｒ−Ａｌ−Ｃｒ及びＭＩＨＬ（ｍｅｔａｌ ｉｎｓｕｌａｔｏｒ ｈｙｂｒｉｄ ｌａｙｅｒ）のうちのいずれか一つからなる。
【００１８】
アドレス電極は、第１基板面と接触する黒色層と、黒色層上に積層された白色層とを含んでいる。
【００１９】
アドレス電極は、緑色放電セルと青色放電セルとの間に配置されたアドレス電極の幅が、青色放電セルと赤色放電セルとの間に配置されたアドレス電極の幅及び赤色放電セルと緑色放電セルとの間に配置されたアドレス電極の幅よりも広く形成されている。
【００２０】
アドレス電極は、第１方向に沿って伸張形成された伸張部と、伸張部から第２方向に沿って各放電セルに対応して突出形成された突出部とを含んでいる。
【００２１】
青色放電セルに対応した突出部の幅は、赤色放電セル及び緑色放電セルに対応した突出部の幅よりも広く形成されている。
【００２２】
第１電極及び第２電極の厚さは、端子の厚さよりも厚く形成されている。
【発明の効果】
【００２３】
本発明に係るプラズマディスプレイパネルは、対向放電型電極構造の表示電極をアドレス電極と同一基板面に形成したことにより、プラズマディスプレイパネルの放電効率をより向上させる効果がある。
【００２４】
また、アドレス電極、アドレス電極の端子及び表示電極の端子を同一基板上に薄膜の形態で形成したことにより、プラズマディスプレイパネルの生産性及び良品率を向上させる効果がある。
【発明を実施するための最良の形態】
【００２５】
以下、添付した図面を参照して、本発明の実施例について、本発明が属する技術分野において通常の知識を有する者が容易に実施することができるように詳細に説明する。しかし、本発明は、多様な相異した形態で具現され、ここで説明する実施例に限定されるわけではない。図面では、本発明を明確に説明するために、説明に不必要な部分は省略し、明細書全体を通して同一または類似した構成要素については、同一な参照符号を付けた。
【００２６】
図１は本発明の一実施例に係るプラズマディスプレイパネルを示した斜視図である。
【００２７】
図１を参照して説明すれば、本発明の実施例に係るプラズマディスプレイパネル１は、前面基板（第１基板）１０と背面基板（第２基板）２０とを含み、それらの間は任意の間隔をおいて実質的に平行に配置されて密封されている。
【００２８】
ここでは、背面基板２０が前面基板１０の４辺の周縁の全てを開放するように対向配置されている構造を例示しているが、本発明は、前面基板１０の周囲４辺のうち少なくとも３辺以上の周縁が開放されるように対向配置されていれば十分である。
【００２９】
そして、前面基板１０の周縁の開放された各辺には、プラズマ放電に必要な駆動パルスを各放電電極１５、３２、３４（図２に図示）に印加するための端子１６、３３、３５が形成されている。
【００３０】
そして、前面基板１０及び背面基板２０の間に形成される空間の内部には、画像を表示するディスプレイ領域以外にも、ディスプレイ領域の外郭にダミー領域、余裕領域及び端子連結領域がさらに形成されている。
【００３１】
次に、図２は、図１に示したプラズマディスプレイパネルのディスプレイ領域の一部を分解して示した分解斜視図である。
【００３２】
図１及び図２を参照すると、前面基板１０と背面基板２０との間には、複数の放電セル１８が区画されている。前記放電セル１８は、背面基板２０上に別途の誘電層をパターニングして形成された隔壁（図示せず）によって区画されるが、図示したように背面基板２０をエッチングして形成される隔壁２３によって区画することもできる。
【００３３】
前記隔壁２３は、第１方向（図面のｙ軸方向）に伸張形成された第１隔壁部材２３ａと、第１隔壁部材２３ａの間で第１方向と交差する第２方向（図面のｘ軸方向）に伸張形成された第２隔壁部材２３ｂとから形成されている。前記第１隔壁部材２３ａ及び第２隔壁部材２３ｂは、放電セル１８をマトリックス構造に区画して隣接する放電セルの間のクロストーク（ｃｒｏｓｓ−ｔａｌｋ）を効果的に防止することができるようにしている。
【００３４】
また、隔壁２３は、ｙ軸方向に伸張形成される第１隔壁部材２３ａによって放電セル１８をストライプ構造に区画することもできる（図示せず）。
【００３５】
本実施例において、放電セル１８の平面形状は、ほぼ長方形状に形成されている。つまり、各放電セル１８は、上部が開放された直方体形状に形成されている。この放電セル１８内には、赤色（Ｒ）、緑色（Ｇ）、青色（Ｂ）の可視光を各々発生させるように、各色に対応した赤色、緑色、青色蛍光体層２５が塗布されている。前記蛍光体層２５は、各放電セル１８の底面及び隔壁２３の内側面に塗布されている蛍光体によって形成されている。そして、プラズマ放電に必要なゼノン（Ｘｅ）、ネオン（Ｎｅ）などを含む放電ガスが放電セル１８内に充填されている。
【００３６】
前記放電セル１８内にプラズマ放電を発生させるために、アドレス電極１５、維持電極（第１電極）３２及び走査電極（第２電極）３４は、各放電セル１８に対応して前面基板１０に形成されている。
【００３７】
図３は、図２に示す放電セル及びアドレス電極の配置を示した平面図である。
【００３８】
図３を参照すると、アドレス電極１５は、前面基板１０上で第１方向（図面のｙ軸方向）に沿って各々伸張形成されている。そして、第１方向と交差する第２方向（ｘ軸方向）に沿って配列された放電セル１８に対応するように、各アドレス電極１５は互いに平行に配置されている。前記アドレス電極１５は、青色、緑色、赤色の各色の放電セル１８上を通過するように配置されている。
【００３９】
一方、アドレス電極１５は、緑色放電セル１８Ｇと青色放電セル１８Ｂとの間に配置されて青色放電セル１８Ｂのアドレス放電に関与するアドレス電極１５の幅を、青色放電セル１８Ｂと赤色放電セル１８Ｒとの間に配置されて赤色放電セル１８Ｒのアドレス放電に関与するアドレス電極１５の幅より広く形成し、赤色放電セル１８Ｒと緑色放電セル１８Ｇとの間に配置されて緑色放電セル１８Ｇのアドレス放電に関与するアドレス電極１５の幅よりも広く形成することが好ましい。
【００４０】
これをより詳細に説明すれば、アドレス電極１５は、第１隔壁部材２３ａに対応して前面基板１０に形成された伸張部１５ａと、前記伸張部１５ａから放電セル１８の内側に突出形成された突出部１５ｂとから構成されている。
【００４１】
伸張部１５ａは、第２方向に隣接する一対の放電セル１８Ｒ、１８Ｇ、１８Ｂの境界に沿って、つまり第１隔壁部材２３ａに対応して第１方向に伸張形成される。突出部１５ｂは、第２方向に対して片側の放電セル１８Ｒ、１８Ｇ、１８Ｂだけを選択することができるように、前記放電セル１８Ｒ、１８Ｇ、１８Ｂに配置された走査電極３４に対応する。
【００４２】
前記突出部１５ｂは、多様な平面形状で形成することが可能であり、その一例として本実施例では四角形状を例示した。このような形状の突出部１５ｂは、走査電極３４との相互作用によってアドレス放電を起こして放電セル１８を選択できるようになっている。したがって、青色放電セル１８Ｂに対応する突出部１５ｂの幅（Ｂ１）を赤色放電セル１８Ｒ及び緑色放電セル１８Ｇに対応する突出部１５ｂの幅（Ｂ２、Ｂ３）よりも広く形成することによって、三色の放電セル１８Ｒ、１８Ｇ、１８Ｂのうち輝度が最も低くて劣化特性が最も深刻な青色放電セル１８Ｂの劣化を最少化し、青色蛍光層１８Ｂの輝度及び寿命特性を改善することができる。
【００４３】
また、突出部１５ｂは、走査電極３４を中心線として第１方向の両側に別々に形成されている場合もあるし、一体に形成されている場合もある。いずれの場合でも、アドレス電極１５の突出部１５ｂは、１つの走査電極３４を共有するように第１方向に隣接する一対の放電セル１８に対して設置され、設置された放電セル１８のアドレス放電に関与する。
【００４４】
また、アドレス電極１５は、前面基板１０上にＣｒ−Ｃｕ−Ｃｒ、Ｃｒ−Ａｌ、Ｃｒ−Ａｌ−Ｃｒ及びＭＩＨＬ（ｍｅｔａｌ ｉｎｓｕｌａｔｏｒ ｈｙｂｒｉｄ ｌａｙｅｒ）のいずれか１つによって約５μｍ以下の薄膜形態で形成されている。このように、アドレス電極１５を薄膜形態で形成することにより、パネルの高解像度及び高精細化に伴って既存の厚膜形態で形成されて電極の幅が小さくなり、電極が断線して焼成後に電極の周辺に電極の屑が残って電極間にショート（ｓｈｏｒｔ）が発生する不良率を除去することができる。
【００４５】
特に、アドレス電極１５をＭＩＨＬで形成する場合には、窒化膜または酸化膜と同一な透明電熱物質及び金属物質の濃度勾配を有するようにし、図６に示すように前面基板１０と接触する面には黒色層１５ｃを形成して外部光の反射を防止し、黒色層１５ｃの上に白色層１５ｄを積層して可視光の反射率を高めるようにする。これによって、明暗のコントラスト比（ｃｏｎｔｒａｓｔ ｒａｔｉｏ）を向上させることができる。
【００４６】
図４は、図２のＩＶ−ＩＶ線に沿って切断した側断面図である。
【００４７】
図４を参照すると、アドレス電極１５、つまりアドレス伸張部１５ａと突出部１５ｂとを覆って、前面基板１０の全面にわたって第１誘電層１２が形成されている。第１誘電層１２は、プラズマ放電時に壁電荷を形成及び蓄積して、アドレス電極１５、維持電極３２及び走査電極３４を電気的に絶縁する。
【００４８】
維持電極３２及び走査電極３４は、前面基板１０の第１誘電層１２上で、第２方向（図面のｘ軸方向）に沿って伸張形成され、第１方向には前記放電セル１８の間に維持電極３２と走査電極３４が交互に配置され、各放電セル１８を挟んで対向放電型電極構造を形成する。
【００４９】
前記維持電極３２及び走査電極３４は、各々前面基板１０の第１誘電層１２上で、所定の線幅を有して前面基板１０と垂直な第３方向（図面のｚ軸方向）にアドレス電極１５よりも厚い約５０μｍ〜１００μｍ程度の厚さを有して、第２方向に沿って伸張形成されている。そして、前記維持電極３２及び走査電極３４は、第２誘電層１４で覆われている。
【００５０】
また、維持電極３２及び走査電極３４は、第２隔壁部材２３ｂに各々対応して第１方向に互いに交互に配置されている。これによって、維持電極３２及び走査電極３４の各々は、隣接する一対の放電セル１８によって共有される構造に配置され、これらの放電セル１８の維持放電に関与する。
【００５１】
このように維持電極３２及び走査電極３４が互いに対向する対向面積をより広く形成することによって、放電セル１８内で対向放電型電極構造が形成される。これによって、より強い真空紫外線が生成され、この強い真空紫外線は放電セル１８の内部で広い面積の蛍光体層２５に衝突し、発生する可視光の量を増加させる。
【００５２】
一方、アドレス期間において、アドレス電極１５の伸張部１５ａにアドレス電圧が印加され、走査電極３４にスキャン電圧が印加され、これによって点灯する放電セル１８が選択される。維持期間では、維持電極３２及び走査電極３４には維持電圧が印加され、選択された放電セル１８が画像を表示する。このように、各電極に印加される電圧パルスは、必要に応じて適切に選択される。
【００５３】
前記走査電極３４は、アドレス電極１５とのアドレス放電が容易に発生するように、一対の突出部１５ｂの間に形成されている。前記アドレス電極１５の突出部１５ｂは、走査電極３４に対応するように第１及び第３方向に沿って形成されている。これによって、走査電極３４は、第１方向に隣接する一対の放電セル１８のアドレス放電に関与することができるようになる。
【００５４】
アドレス電極１５及び走査電極３４が前面基板１０に形成されていることにより、実質的にアドレス放電が起こるアドレス電極１５の突出部１５ｂと走査電極３４とが、放電ギャップ（ＧＡ）の間隔をおいて互いに隣接するように配置されるので、低電圧によるアドレス放電が可能になる。
【００５５】
また、第２誘電層１４は、維持電極３２及び走査電極３４を囲んで前記放電セル１８に対応する放電空間３８を前面基板１０側に形成する。前記放電空間３８は、実質的に放電セル１８の一部分である。前記第２誘電層１４は、隔壁２３の第１隔壁部材２３ａ及び第２隔壁部材２３ｂに対応したマトリックス構造に形成されている。
【００５６】
前記放電空間３８を形成する第１誘電層１２の底部及び第２誘電層１４の内側壁には、ＭｇＯからなる保護膜１３が形成されている。
【００５７】
また、前記プラズマディスプレイパネルでは、走査電極３４とアドレス電極１５の突出部１５ｂとは第１方向に隣接する一対の放電セル１８に対応しているので、奇数ライン及び偶数ラインを区分して駆動することが好ましい。
【００５８】
このような駆動の一例として、維持電極３２及び走査電極３４を奇数ライン及び偶数ラインに区分して駆動する。つまり、奇数ラインの駆動時には、奇数ラインの維持電極３２及び走査電極３４にだけ電位差が発生するように電圧を引下げ、偶数ラインの駆動時には、偶数ラインの維持電極３２及び走査電極３４にだけ電位差が発生するように電圧を印加する。このような駆動方法には、公知の駆動方法が適用される。
【００５９】
図５は、図１のＶ−Ｖ線に沿って切断して示した平断面図であり、図６は図５のＶＩ−ＶＩ線に沿って切断して示した側断面図であり、図７は図６のＶＩＩ−ＶＩＩ線に沿って第１誘電層を取出した状態の平面図である。
【００６０】
図５乃至図７を参照すると、本発明の実施例に係るプラズマディスプレイパネルの前面基板１０及び背面基板２０をフリット（Ｆ）で縫着させた内部空間には、前記のように画像を表示するためのディスプレイ領域（Ｄ）以外にもダミー領域（Ｍ）、余裕領域（Ｒ）及び端子連結領域（Ｃ）が含まれている。そして、前面基板１０のフリット（Ｆ）の外側周縁には、維持電極３２、走査電極３４及びアドレス電極１５の端子１６、３３、３５が形成されているインターコネクション領域（Ｉ）が含まれている。
【００６１】
ダミー領域（Ｍ）は、ディスプレイ領域（Ｄ）の外郭に形成され、ディスプレイフォーマットを越えて追加的に画像を表示することができる領域であり、ディスプレイ領域（Ｄ）内の最外郭の放電セルで起こることがあって放電が不均一になるエッジ（ｅｄｇｅ）効果を防止する。
【００６２】
余裕領域（Ｒ）は、ダミー領域（Ｍ）の外郭に形成され、各層（ｌａｙｅｒ）を重ねて形成する工程において、工程間のアライン（ａｌｉｇｎ）誤差及び工程別の精密度の限界を補完するために必要な領域である。
【００６３】
端子連結領域（Ｃ）は、ディスプレイ領域（Ｄ）内のアドレス電極１５、維持電極３２及び走査電極３４と、これらに対応するインターコネクション領域（Ｉ）の端子１６、３３、３５とを互いに連結する時に、電極ラインの折れ曲がりが大きくなりすぎることを防止する領域である。
【００６４】
そして、インターコネクション領域（Ｉ）は、駆動回路がディスプレイパネルを駆動制御できるように、ＦＰＣ、ＣＯＦ及びＴＣＰなどのコネクタ（ｃｏｎｎｅｃｔｏｒ）と連結され、アドレス電極１５、維持電極３２及び走査電極３４に駆動電圧を印加するための各々の端子１６、３３、３５が形成されている領域である。
【００６５】
本実施例で、端子１６、３３、３５は、それぞれアドレス電極１５、維持電極３２及び走査電極３４に電気的に連結され、背面基板２０から開放された前面基板１０の周縁に各々別々に形成されている。
【００６６】
アドレス電極１５の端子１６は、アドレス電極１５が延長されて形成されている第１方向の前面基板１０における両側周縁に形成され、より詳細には、前面基板１０の上下側周縁に全て形成されている。しかし、本発明はこれに限定されず、アドレス電極１５の端子１６は、前面基板１０の上下側周縁のうちのいずれか片側周縁だけに形成することもできる。また、アドレス電極１５は端子１６と同一な厚さに形成されている。
【００６７】
維持電極３２の端子３３及び走査電極３４の端子３５は、これらの電極が延長して形成された第２方向の前面基板１０における両側周縁、つまり左右側周縁にそれぞれ別々に形成されている。
【００６８】
したがって、アドレス電極１５の端子１６、維持電極３２の端子３３及び走査電極３４の端子３５が同一基板面に形成されているので、パネルの製造工程数を減少させて、生産性を向上させることができる。
【００６９】
また、アドレス電極１５の端子１６だけでなく、維持電極３２の端子３３及び走査電極３４の端子３５は、アドレス電極１５と同様に、前面基板１０上にＣｒ−Ｃｕ−Ｃｒ、Ｃｒ−Ａｌ、Ｃｒ−Ａｌ−Ｃｒ及びＭＩＨＬ（ｍｅｔａｌ ｉｎｓｕｌａｔｏｒ ｈｙｂｒｉｄ ｌａｙｅｒ）のいずれか１つによって約５μｍ以下の薄膜形態で形成されている。このように、端子１６、３３、３５を薄膜形態で形成することにより、既存の厚膜形態の端子が有する端子間のショート（ｓｈｏｒｔ）及びＦＰＣ、ＣＯＦ、ＴＣＰなどのコネクタとの連結時に発生する不良率を減少させることができる。
【００７０】
誘電電極３２及び走査電極３４は、図５に示したように、前面基板１０の第１誘電層１２上で余裕領域（Ｒ）まで第２方向に沿って互いに交互に延長して形成され、端子連結領域（Ｃ）で維持電極３２及び走査電極３４が所定の角度を有してなだらかに折れ曲がって、前面基板１０に形成された維持電極の端子３３及び走査電極の端子３５にそれぞれ引出されるように連結されている。
【００７１】
この時、図６に示したように、維持電極３２及び走査電極３４の厚さが約５０μｍ〜１００μｍであるのに対して、前記端子３３、３５の厚さは約５μｍ以下である。したがって、維持電極３２及び走査電極３４は、端子連結領域（Ｃ）では厚さが次第に小さくなって各端子３３、３５に連結されている。
【００７２】
そして、アドレス電極１５は、図７に示したように、前面基板１０上で余裕領域（Ｒ）まで第１方向に沿って互いに平行に延長して形成され、端子連結領域（Ｃ）で同一な厚さを有したまま所定の角度でなだらかに折れ曲がって、前面基板１０に形成されたアドレス電極１５の端子１６に引出されるように連結されている。
【００７３】
以上で、本発明の実施例について詳細に説明したが、本発明の権利範囲はこれに限定されるものではなく、請求の範囲で定義している本発明の基本概念を利用した当業者の多様な変形及び改良形態も本発明の権利範囲に属する。
【図面の簡単な説明】
【００７４】
【図１】本発明の一実施例に係るプラズマディスプレイパネルを示した斜視図である。
【図２】図１に示すプラズマディスプレイパネルのディスプレイ領域の一部を分解して示した分解斜視図である。
【図３】図２の放電セル及びアドレス電極の配置を示した平面図である。
【図４】図２のＩＶ−ＩＶ線に沿って切断した側断面図である。
【図５】図１のＶ−Ｖ線に沿って切断した平断面図である。
【図６】図５のＶＩ−ＶＩ線に沿って切断した側断面図である。
【図７】図６のＶＩＩ−ＶＩＩ線に沿って誘電層を取出した状態の平面図である。
【符号の説明】
【００７５】
１０  前面基板（第１基板）
１２  第１誘電層
１３  保護膜
１４  第２誘電層
１５  アドレス電極
１５ａ  伸張部
１５ｂ  突出部
１６、３３、３５  端子
１８  放電セル
２０  背面基板（第２基板）
２３  隔壁
２３ａ  第１隔壁部材
２３ｂ  第２隔壁部材
２５  蛍光体層
３２  維持電極（第１電極）
３４  走査電極（第２電極）
３８  放電空間
【図２】
2007157720.tif 000003
【図３】
2007157720.tif 000004
【図４】
2007157720.tif 000005
【図５】
2007157720.tif 000006
【図６】
2007157720.tif 000007
【図７】
2007157720.tif 000008
【図１】
2007157720.tif 000009